(57)【特許請求の範囲】
【請求項１】
口金ピンを設けたランプ及び電線が装着されるソケット本体と；
ソケット本体に収納され、ランプの口金ピンに接続される口金ピン接続部と、電線に接続される電線接続部と、これら口金ピン接続部及び電線接続部を接続するつなぎ部とが材料を屈曲して一体に形成され、
かつ、口金ピン接続部は、つなぎ部の幅方向の両側部のつなぎ片部を残して長手方向に沿って切り起こし、幅方向の中央部を長手方向に沿って折り返して形成されることにより、前記つなぎ片部は、材料の一端部から反転するように屈曲され、
一端部に口金ピン接続部が形成され、他端部に電線接続部が形成された接触片と；
を具備したことを特徴とするランプソケット。
【請求項２】
材料の一端部から平板状に延設された平面部と、この平面部から屈曲された略平板状の第１の挟持片部と、第１の挟持片部に対向する第２の挟持片部と、これら第１の挟持片部と第２の挟持片部とを一体に連接する屈曲部とを設けた口金ピン接続部を備えた接触片と；
ソケット本体を構成し、口金ピン接続部の前側に位置し、ランプの口金部に対向してソケット本体の他の部分に進退自在に支持され、口金ピンが挿入される口金ピン挿入孔と、この口金ピン挿入孔近傍に位置して後側に設けられた付勢手段位置決め部とを設けた作動体と；
付勢手段位置決め部に位置決めされ、接触片の平面部を押圧して接触片を作動体に押し付けるとともに作動体を前側に押動する付勢手段と；
を具備したことを特徴とする請求項１記載のランプソケット。
【請求項３】
作動体は、付勢手段位置決め部に一体に設けられ、口金ピン接続部の対をなす第１及び第２の挟持片部間の一部に挟持される案内くさび部とを設けた
ことを特徴とする請求項２記載のランプソケット。
【請求項４】
口金ピン接続部は、つなぎ部に一体に連設される第１の挟持片部と、第１の挟持片部に対向するとともに一部に開口部を設けた第２の挟持片部と、これら第１の挟持片部と第２の挟持片部とを一体に連接する屈曲部とを備えた
ことを特徴とする請求項２または３記載のランプソケット。
【請求項５】
ソケット本体の少なくとも一部を透明な材料で形成した
ことを特徴とする請求項１ないし４いずれか一記載のランプソケット。
【請求項６】
ソケット本体は、接触片の電線接続部に対向し、電線接続部に接続される電線が挿入される電線挿入孔と、電線接続部を押圧して変形させる解除用治具が挿入される解除孔とを隣接して備え、解除孔の内面は、電線挿入孔に近接するように傾斜し、かつ、電線接続部に向かって拡開された
ことを特徴とする請求項１ないし５いずれか一記載のランプソケット。
【請求項７】
解除孔は、解除用治具で破断可能な蓋部により覆われた
ことを特徴とする請求項６記載のランプソケット。
【発明の詳細な説明】
【０００１】
【発明の属する技術分野】
本発明は、照明器具に用いられるランプソケットに関する。
【０００２】
【従来の技術】
従来、例えば照明器具に相対向して備えられ、直管型の蛍光ランプを機械的に支持するとともに電気的に接続されるランプソケットが用いられている。
【０００３】
このようなランプソケットは、例えば、特開平５−７４５３１号公報に示されるように、ケース体と、このケース体の後面側を覆う蓋体とを組み合わせたソケット本体を備えている。そして、ケース体の前面上部には、作動板嵌合孔が形成されているとともに、ケース体の前面下部には、複数の電線挿入孔と解除孔とが形成されている。そして、作動板嵌合孔には、略円筒状をなす作動板が前後方向に進退可能に支持されている。そして、この作動板は、後面が開口しているとともに、両側一対の口金ピン挿入孔を形成したランプ受板により前面が閉塞されている。さらに、作動板には、後側に開口した筒部が形成されているとともに、この筒部に対向して、蓋体にボスが突設されている。
【０００４】
そして、ソケット本体の内部には、両側一対の接触片が収納されている。そして、各接触片は、弾性変形可能で導電性を有する金属板を打ち抜き屈曲してなり、口金ピン接続部と、電線接続部と、これら口金ピン接続部及び電線接続部を接続するつなぎ部とが一体に形成されている。そして、各接触片の口金ピン接続部は、作動板の口金ピン挿入孔の裏面側に対向し、作動板を前側に押圧する方向に付勢されている。また、電線接続部には、電線挿入孔に対向して、鎖状片部が形成されている。
【０００５】
さらに、作動板の筒部と蓋体のボスとの間には、コイルスプリングが装着され、作動板を常時前側に押圧している。
【０００６】
そして、このランプソケットを照明器具の器具本体の両端部に相対向して取り付けた状態で、この器具本体の点灯装置から導出された電線の芯線を各電線挿入孔に挿入することにより、この芯線が電線接続部の鎖状片部に鎖状接続され、接触片に電気的に接続される。
【０００７】
また、作動板の前側に、蛍光ランプの両端の口金部を装着し、この口金部から突設された両側一対の口金ピンをそれぞれ作動板の口金ピン挿入孔に挿入することにより、口金部が当接した作動板がコイルスプリングの付勢力に抗して後退するとともに、各口金ピンが接触片の口金ピン接続部に弾性的に当接して、接触片に電気的に接続される。
【０００８】
このようにして、接触片を介して、点灯装置から導出された電線と蛍光ランプの口金ピンとが電気的に接続され、蛍光ランプに電力を供給するとともに、蛍光ランプを機械的に保持するようになっている。
【０００９】
【発明が解決しようとする課題】
上記従来の構成では、各接触片は、帯状の材料をいわゆる順送りプレスやマルチフォーミングで打ち抜き曲げ加工して形成されるが、材料の長手方向に沿ってそれぞれ幅寸法の異なる口金ピン接続部、つなぎ部、及び電線接続部を順次形成するため、材料使用の効率の向上が困難で、製造コストの低減が困難な問題を有している。
【００１０】
また、各接触片の口金ピン接続部について、略コの字状などに屈曲させ、口金ピン挿入孔に挿入された口金ピンを口金ピン接続部で弾性的に挟持して接触させる構成が考えられる。しかしながら、この構成では、口金ピン接続部が口金ピンを挟持する力を小さくすると、接触が不十分になりやすく、また、挟持する力を大きくすると、口金ピン接続部に口金ピンを挿入しにくくなる問題を有している。
【００１１】
本発明は、このような点に鑑みなされたもので、製造コストを低減でき、また、ランプの接続を容易かつ確実にできるランプソケットを提供することを目的とする。
【００１２】
【課題を解決するための手段】
請求項１記載のランプソケットは、口金ピンを設けたランプ及び電線が装着されるソケット本体と；ソケット本体に収納され、ランプの口金ピンに接続される口金ピン接続部と、電線に接続される電線接続部と、これら口金ピン接続部及び電線接続部を接続するつなぎ部とが材料を屈曲して一体に形成され、かつ、口金ピン接続部は、つなぎ部の幅方向の両側部のつなぎ片部を残して長手方向に沿って切り起こし、幅方向の中央部を長手方向に沿って折り返して形成されることにより、前記つなぎ片部は、材料の一端部から反転するように屈曲され、一端部に口金ピン接続部が形成され、他端部に電線接続部が形成された接触片と；を具備したものである。
【００１３】
そして、この構成では、材料を効率よく利用して接触片が一体に形成され、製造コストが低減される。さらに、口金ピン接続部は、つなぎ部の幅方向の両側部を残し、幅方向の中央部を長手方向に沿って折り返して形成され、つなぎ部が両側一対の部材で構成されるので、ねじれなどを抑制し形状が安定する。
【００１４】
請求項２記載のランプソケットは、請求項１記載のランプソケットにおいて、材料の一端部から平板状に延設された平面部と、この平面部から屈曲された略平板状の第１の挟持片部と、第１の挟持片部に対向する第２の挟持片部と、これら第１の挟持片部と第２の挟持片部とを一体に連接する屈曲部とを設けた口金ピン接続部を備えた接触片と；ソケット本体を構成し、口金ピン接続部の前側に位置し、ランプの口金部に対向してソケット本体の他の部分に進退自在に支持され、口金ピンが挿入される口金ピン挿入孔と、この口金ピン挿入孔近傍に位置して後側に設けられた付勢手段位置決め部とを設けた作動体と；付勢手段位置決め部に位置決めされ、接触片の平面部を押圧して接触片を作動体に押し付けるとともに作動体を前側に押動する付勢手段と；を具備したものである。
【００１５】
そして、この構成では、接触片の口金ピン接続部は、ランプの口金ピンを挟持して複数カ所で接触するので、電気的接続の信頼性が向上する。そして、この口金ピン接続部を設けた接触片は、付勢手段により作動体側に押圧されるので、口金ピンが挟持片部間に容易に挿入される。そして、口金ピン接続部には、口金ピンの差込時に口金ピン接続部を後退させる力が加わるが、口金ピン接続部には平面部が設けられ、付勢手段は、平面部を作動体側すなわち前側に押圧するので、口金ピンを差し込む際に、口金ピン接続部が後退して逃げることが容易に防止され、口金ピンの接続が容易かつ確実になる。
【００１６】
請求項３記載のランプソケットは、請求項２記載のランプソケットにおいて、作動体は、付勢手段位置決め部に一体に設けられ、口金ピン接続部の対をなす第１及び第２の挟持片部間の一部に挟持される案内くさび部とを設けたものである。
【００１７】
そして、この構成では、案内くさび部が、挟持片部間の一部に挟持されるので、挟持片部間の寸法が容易に一定に調整され、口金ピンが挟持片部間に容易に挿入され、かつ、口金ピンと挟持片部とが確実に接触する。さらに、案内くさび部は、付勢手段を位置決めする付勢手段位置決め部に一体に設けられるので、構造が簡略化され、製造コストが低減される。
【００１８】
請求項４記載のランプソケットは、請求項２または３記載のランプソケットにおいて、口金ピン接続部は、つなぎ部に一体に連設される第１の挟持片部と、第１の挟持片部に対向するとともに一部に開口部を設けた第２の挟持片部と、これら第１の挟持片部と第２の挟持片部とを一体に連接する屈曲部とを備えたものである。
【００１９】
そして、この構成では、つなぎ部に一体に連設された第１の挟持片部とは反体側の第２の挟持片部側に開口部を設けて変形しやすくしたため、屈曲部のみが変形することによるへたりが抑制されるとともに、口金ピン接続部がつなぎ部に対して移動しにくく支持され、口金ピンが挟持片部間に挿入しやすくなる。
【００２０】
請求項５記載のランプソケットは、請求項１ないし４いずれか一記載のランプソケットにおいて、ソケット本体の少なくとも一部を透明な材料で形成したものである。
【００２１】
そして、この構成では、ソケット本体の内側の状態が容易に確認され、組み立て後に内部の状態が容易に確認される。また、作動体のみを透明にすると、この作動体は使用状態ではランプの口金で覆われるので、透明な部分の外部への露出が抑制される。
【００２２】
請求項６記載のランプソケットは、請求項１ないし５いずれか一記載のランプソケットにおいて、ソケット本体は、接触片の電線接続部に対向し、電線接続部に接続される電線が挿入される電線挿入孔と、電線接続部を押圧して変形させる解除用治具が挿入される解除孔とを隣接して備え、解除孔の内面は、電線挿入孔に近接するように傾斜し、かつ、電線接続部に向かって拡開されたものである。
【００２３】
そして、この構成では、解除用治具を電線接続部に案内可能な解除孔を、電線挿入孔に近接して配置することが可能になり、電線挿入孔と解除孔とを備えた端子部を狭い範囲で構成することが可能になる。また、厚肉な部分が小さくなり、材料のコストが低減される。
【００２４】
請求項７記載のランプソケットは、請求項６記載のランプソケットにおいて、解除孔は、解除用治具で破断可能な蓋部により覆われたものである。
【００２５】
そして、この構成では、解除動作を行った解除孔が明示され、すなわち、一旦電線を接続し解除した電線挿入孔が明示され、一旦電線を接続し解除した電線挿入孔に再度電線を接続することが抑制される。
【００２６】
【発明の実施の形態】
以下、本発明のランプソケットの一実施の形態を図面を参照して説明する。
【００２７】
図１は本発明のランプソケットの一実施の形態を示す断面図である。図２は同上ランプソケットのカバーを取り付けない状態の後面図である。図３は同上ランプソケットの前面図である。図４は同上ランプソケットのケース体の断面図である。図５は同上ランプソケットの作動体の前面図である。図６は同上ランプソケットの作動体の図５のＩ−Ｉ断面図である。図７は同上ランプソケットの作動体の後面図である。図８は同上ランプソケットの作動体の図５のII−II断面図である。図９は同上ランプソケットの接触片の前面図である。図１０は同上ランプソケットの接触片の側面図である。図１１は本発明のランプソケットの接触片の他の実施の形態を示す一部を拡大した斜視図である。図１２同上ランプソケットの接触片の一部を拡大した側面図である。
【００２８】
図１ないし図１０に示すように、10はランプソケットで、このランプソケット10は、図示しない照明器具に用いられ、蛍光ランプであるランプＬと、電線Ｗが接続されるランプソケット、いわば蛍光ランプソケットを構成している。なお、ランプＬは直管形の蛍光ランプであり、発光管Ｌ1の両端部に口金部Ｌ2が設けられ、さらに、各口金部Ｌ2から一対の口金ピンＬ3が突設されている。また、電線Ｗは、導電性を有する芯線Ｗ1を絶縁性を有する絶縁被覆Ｗ2で被覆し、端部において、絶縁被覆Ｗ2が切除され、所定の長さＬWの芯線Ｗ1が露出している。なお、以下、このランプソケット10は、ランプＬが取り付けられる側を前側、及び下側として説明する。
【００２９】
そして、ランプソケット10は、ソケット本体11と、このソケット本体11に収納された両側一対の接触片12，12及び両側一対の付勢手段14，14とを備えている。
【００３０】
そして、ソケット本体11は、それぞれ絶縁性を有するポリブチレンテレフタレートなどの合成樹脂などにて一体に形成された、ケース体21と、このケース体21に取り付けられるカバー22と、ケース体21に進退自在に支持される作動体23とを備えている。そして、ケース体21は、ボディとも呼ばれるもので、図１ないし図４に示すように、前板部25と、この前板部25の周面から後側に突設された前周板部26とを備え、後面の全面が開口した略箱状をなしている。そして、このケース体21の前板部25の下部には、円孔状をなす作動体取付孔28が形成されているとともに、この作動体取付孔28を囲み、本実施の形態では両側部及び下側の３カ所に、前後方向を長手方向とする作動体案内リブ29が形成されている。なお、この作動体案内リブ29の個数及び配置場所は適宜設定でき、例えば、両側部及び上側部の３カ所に設けることもできる。また、ケース体21の上側部には、他の部分より幅寸法の小さい電線装着部31が設けられている。そして、この電線装着部31には、両側一対の接触片配置部32，32が形成されているとともに、各接触片配置部32に前面から連通して、両側一対の電線挿入孔33と、両側一対の解除孔34とが形成されている。そして、電線挿入孔33は、前面から後側の接触片配置部32にかけて、第１の案内孔部33a、前孔部33b、第２の案内孔部33c、後孔部33dを同軸状に連設して形成されている。そして、前孔部33bは、電線Ｗの絶縁被覆Ｗ2が挿入可能な一定の径寸法をなし、後孔部33dは、電線Ｗの絶縁被覆Ｗ2が挿入不可能で、かつ、電線Ｗの芯線Ｗ1が挿入可能な一定の径寸法をなし、第１の案内孔部33a及び第２の案内孔部33cは、それぞれ後方に向かってテーパ状に径寸法が小さくなる傾斜面として形成されている。また、解除孔34は、それぞれ電線挿入孔33の下側に近接して断面矩形状に形成され、電線挿入孔33側の内面は、後側に向かうに従い電線挿入孔33に向かって傾斜し、電線挿入孔33の反体側の内面は水平すなわち電線挿入孔33の中心軸と平行に形成されている。すなわち、この解除孔34は、後側に向かって拡開状に形成されている。さらに、このケース体21には、前周板部26の下端部を延設した位置と、電線装着部31の両側部とに、係合部36，37，37が形成されている。また、ケース体21の内側には、適宜の位置に、補強用などのリブ38が形成されている。さらに、各電線装着部31の近傍に位置し、両側一対のボス39が突設されている。
【００３１】
また、カバー22は、ケース体21の後側の開口部を覆うもので、図１ないし図３に示すように、後板部41と、この後板部41の周面から前側に突設された後周板部42とを備え、係合部36，37，37に対応して形成した係合受部43により、ケース体21の後側部に嵌合して固定されている。そして、カバー22の後板部41には、ケース体21の作動体取付孔28に対向する所定位置に、両側一対の後部付勢手段位置決め部45，45が形成されている。なお、この実施の形態では、各後部付勢手段位置決め部45は、３枚の三角板状のリブにより形成されているが、適宜の形状を採ることができる。さらに、カバー22の上部は、ケース体21の電線装着部31の上側及び外側方を覆うように嵌合し、この部分の両外側には、ランプソケット10を器具本体に取り付ける前後方向に長い取付溝47が形成されている。
【００３２】
さらに、作動体23は、作動板とも呼ばれるもので、図１ないし図３、及び図５ないし図８に示すように、円板状をなす作動体本体部51を備えている。そして、この作動体本体部51の外周部には、断面Ｌ字状をなすフランジ部52が一体に形成され、このフランジ部52は、ケース体21の作動体取付孔28に後側から進退自在に嵌合するとともに、このフランジ部52には、作動体案内リブ29に摺動自在に係合する案内受部53が形成されている。また、作動体本体部51には、前後に貫通する両側一対の口金ピン挿入孔55，55が形成されている。そして、作動体本体部51の前面には、各口金ピン挿入孔55に向かって径寸法の小さくなる口金ピン案内部56が形成されている。さらに、作動体本体部51の後面には、各口金ピン挿入孔55の両側に位置し、断面略円弧状をなす付勢手段位置決め部57，57が形成されているとともに、各付勢手段位置決め部57，57から口金ピン挿入孔55の中心軸側に向かい、それぞれ前後方向を長手方向とする案内くさび部58が一体に突設されている。また、各案内くさび部58は、少なくとも先端部すなわち後端部近傍において、先端部すなわち後端部に向かって径寸法が小さくなるくさび状に形成されている。また、各案内くさび部58の上下方向の寸法は、口金ピンＬ3の直径寸法より小さく形成されている。さらに、作動体本体部51の後面には、接触片位置決め部61と、前部付勢手段位置決め部62とが、適宜の形状に形成されている。
【００３３】
また、各接触片12は、図１、図２、図９、及び図１０に示すように、互いに同形状で、例えば、厚さ寸法０．２〜１．０mm程度の矩形板状の帯状材（フープ材）などの材料を、いわゆる順送りプレスやマルチフォーミングで打ち抜き曲げ加工して、一体に形成されている。また、この材料は、例えば、りん青銅、洋白、銅とステンレスとを積層したクラッド材など、ばね性を有する導電材料にて構成されている。そして、この接触片12は、一端部となる下端部に、口金ピン接続部65が形成され、他端部となる上端部に、電線接続部66が形成されるとともに、これら口金ピン接続部65と電線接続部66とを連設するつなぎ部67が形成されている。そして、これら口金ピン接続部65、電線接続部66、及びつなぎ部67のうち、電線接続部66及びつなぎ部67は、材料の全幅を使って形成されるのに対して、口金ピン接続部65は、つなぎ部67の幅方向の中心部を切り起こし、折り返して形成され、他の部分より幅寸法が小さく形成されている。
【００３４】
すなわち、口金ピン接続部65は、材料の一端部70から平板状に延設された平面部71と、この平面部71の先端部から略コの字状に屈曲されたピン受部72とを備えている。そして、ピン受部72は、平面部71から屈曲された略平板状の第１の挟持片部74と、この第１の挟持片部74に屈曲部75を介して形成された略平板状の連設片部76と、この連設片部76に屈曲部77を介して形成された略平板状の第２の挟持片部78と、この第２の挟持片部78の先端部が屈曲された先端案内部79とを備えている。なお、このピン受部72に外部から力が加わっていない状態では、第２の挟持片部78の先端部は、第１の挟持片部74に当接し、先端案内部79が、この第１の挟持片部74から離反するようになっている。さらに、第２の挟持片部78には、開口部81が形成されている。この開口部81は、第２の挟持片部78の先端側が幅広の底辺となる台形状に形成されている。
【００３５】
そして、つなぎ部67は、材料の一端部70から反転するように屈曲された両側一対のつなぎ片部83，83を備え、これらつなぎ片部83，83は、つなぎ部67の他端部のつなぎ部連結部85で連結されている。そして、このつなぎ部連結部85には、位置決め孔86が形成されている。
【００３６】
さらに、電線接続部66には、このつなぎ部連結部85から屈曲して形成された略平板状の基板部88と、この基板部88に対向する略平板状の対向板部89と、これら基板部88と対向板部89とを連接する連接部90と、連接部90から対向板部89の一部にかかる部分が基板部88に連結して略Ｌ字状に切り起こされ、傾斜した状態で対向板部89に当接あるいは対向する両側一対の鎖状片部91，91と、対向板部89の先端部が屈曲された端縁部92とが形成されている。さらに、各鎖状片部91の先端部には、三角状の打ち出し部93が形成され、いわゆるねじなし端子が構成されている。
【００３７】
また、各付勢手段14は、図１及び図２に示すように、弾性体であるばねであるコイルスプリングで形成されている。
【００３８】
そして、各接触片12は、電線接続部66をケース体21の接触片配置部32に嵌め込み、位置決め孔86にボス39を挿入し、材料の端部70を接触片位置決め部61に当接するとともに、口金ピン接続部65の第１の挟持片部74と第２の挟持片部78との間に案内くさび部58を圧入した状態で、ソケット本体11のケース体21に組み込まれる。さらに、口金ピン接続部65を囲むようにして、各付勢手段位置決め部57の外周に付勢手段14の前端部を組み込み、ケース体21にカバー22を嵌め合わせることにより、付勢手段14の後端部がカバー22の後部付勢手段位置決め部45に位置決めされ、ランプソケット10が構成される。
【００３９】
また、この状態で、各接触片12は、つなぎ部67のつなぎ部連結部85、電線接続部66の基板部88及び対向板部89が、ケース体21とカバー22との間に挟持されて固定される。そして、作動体23は、付勢手段14により前方に押圧され、フランジ部52がケース体21に当接する前進限に位置する。また、各接触片12の口金ピン接続部65は、第１の挟持片部74と第２の挟持片部78とで案内くさび部58を挟持するとともに、平面部71が付勢手段14により作動体23側に押しつけられ、作動体23とともに進退可能に支持される。
【００４０】
また、この状態で、各接触片12の電線接続部66の対向板部89に鎖状片部91の先端部が対向あるいは当接する部分が、ケース体21の電線挿入孔33に対向する。
【００４１】
そして、このランプソケット10は、取付溝47を用い、図示しない照明器具の器具本体の両端部などに相対向して取り付けられる。そして、この器具本体の点灯装置から導出された電線Ｗを、電線挿入孔33に挿入する。すると、この電線Ｗの芯線Ｗ1は、第２の案内孔部33cなどに案内されつつ、接触片12の電線接続部66の対向板部89と鎖状片部91との間に圧入される。この状態で、鎖状片部91の先端部が電線Ｗの芯線Ｗ1に食い込むようにして、機械的に抜け止めされるとともに、接触片12に電気的に接続され、いわゆる鎖状接続される。
【００４２】
また、ランプＬは、口金部Ｌ2を作動体23の前面に装着し、一対の口金ピンＬ3を各口金ピン挿入孔55に挿入する。すると、各口金ピンＬ3は、接触片12の口金ピン接続部65の第１の挟持片部74と第２の挟持片部78との間に圧入され、これら第１の挟持片部74と第２の挟持片部78とにより弾性的に挟持された状態で、口金ピンＬ3が接触片12に電気的に接続される。さらに、この状態で、作動体23は若干後側に押し込まれ、付勢手段14の付勢力により、作動体23の作動体本体部51の前面がランプＬの口金部Ｌ2に密着する。
【００４３】
このようにして、直管形の蛍光ランプであるランプＬが一対のランプソケット10間に機械的に支持されるとともに、接触片12を介して、点灯装置から導出された電線Ｗと、ランプＬの口金ピンＬ3とが電気的に接続される。
【００４４】
一方、電線Ｗは、解除孔34にピン状の解除用治具を挿入し、鎖状片部91を変形させることにより、鎖状接続を解除し、引き抜けるようになっている。
【００４５】
そして、本実施の形態のランプソケット10によれば、電線接続部66と、口金ピン接続部65と、これらを接続するつなぎ部67とを一体に形成した接触片12を備えた構成において、つなぎ部67の材料の一部を折り返して、口金ピン接続部65を構成したため、材料の長手方向に沿って口金ピン接続部、つなぎ部、及び電線接続部を順次形成する構成に比べ、材料を効率良く使用でき、材料の使用量を低減して、製造コストを低減できる。
【００４６】
さらに、接触片12は、材料幅の両側部分をつなぎ部67として残し、中側の材料を折り返して口金ピン接続部65としたため、つなぎ部67は、両側一対のつなぎ片部83，83により構成され、負荷が加わった場合にもバランス良く変形し、使用中のねじれなどを抑制できる。
【００４７】
また、接触片12の口金ピン接続部65は、略コの字状に形成して口金ピンＬ3を差し込む差込形接触方式としたため、各口金ピンＬ3は先端の１カ所のみでなく、側面の少なくとも２カ所で接触し、安定した接触が得られる、すなわち、接触信頼性を向上できる。
【００４８】
さらに、口金ピン接続部65は差込形接触方式としたため、差込時に口金ピン接続部65を後退させる力が加わるが、口金ピン接続部65は、略コの字状のピン受部72に隣接して、このピン受部72とつなぎ部67との間に平面部71を設けるとともに、コイルスプリングである付勢手段14は、ピン受部72を囲むようにして、平面部71を作動体23側すなわち前側に押圧するように配置したため、口金ピンＬ3を差し込む際に、口金ピン接続部65が後退して逃げることを容易に防止でき、口金ピンＬ3の接続を容易かつ確実にできる。
【００４９】
加えて、口金ピン接続部65は、作動体23に設けた案内くさび部58を挟持するようにしたため、口金ピンＬ3を挟持する第１の挟持片部74と第２の挟持片部78との間隔を容易に一定にできる。そこで、接触片12を形成する際のプレスにばらつきがあっても、口金ピンＬ3の挿入性を一定にでき、口金ピンＬ3の接続を容易かつ確実にできるとともに、製造コストを低減できる。
【００５０】
さらに、この案内くさび部58は、付勢手段14を位置決めする付勢手段位置決め部57に一体に形成したため、構造を簡略化し、製造コストを低減できる。
【００５１】
また、口金ピン接続部65は、つなぎ部67に連設された平面部71及び第１の挟持片部74の反体側に位置する第２の挟持片部78側に、前側が長い底辺となる略台形状の角孔である開口部81を形成したため、第１の挟持片部74側に対して、第２の挟持片部78側を変形しやすくできる。そこで、口金ピン接続部65のピン受部72の全体については、後方への変形を抑制し、口金ピンＬ3の差し込みを容易かつ確実にできるとともに、口金ピンＬ3の挿入時に第２の挟持片部78側は全体的に湾曲して変形を吸収し、屈曲部などに加わる応力を分散し、へたりを抑制できる。すなわち、仮に、第１の挟持片部74側にも開口部を設けると、口金ピンＬ3の挿入時に口金ピン接続部65のピン受部72の全体が傾き挿入しにくくなる。また、第２の挟持片部78側に孔を設けないと、屈曲部に応力が集中してへたりが生じやすくなる。
【００５２】
また、ソケット本体11を構成するケース体21、カバー22、及び作動体23は、一部または全部を透明な材料で構成することにより、内部の状態を確認し易くでき、ランプソケット10の組み立て後においても、付勢手段14などの部品が正しい位置に組み込まれているかを容易に確認できる。また、作動体23のみを透明な材料で構成した場合は、使用状態では、作動体23をランプＬの口金部Ｌ2が密着して覆うため、透明な部分が外部に露出することを抑制し、意匠に対する影響を抑制できる。
【００５３】
また、本実施の形態のランプソケット10では、ソケット本体11の電線装着部31につき、各電線挿入孔33に隣接して設けた解除孔34について、電線挿入孔33から遠い側の内面は略水平すなわち電線挿入孔33の中心軸と平行とし、電線挿入孔33から近い側の内面は、後側すなわち接触片12の鎖状片部91に近づくにつれて、電線挿入孔33に近接するように傾斜させたため、てこの原理を利用して小さな力で鎖状接続を解除できる構成を、狭い範囲で実現できるとともに、電線挿入孔33近傍の余分な肉厚部も削減できるため、電線装着部31の構成を簡略化して小形化でき、小形で安価なランプソケット10を提供できる。
【００５４】
すなわち、この点、単に水平な略円筒状の解除孔を形成した構成では、解除用治具を円筒に沿って押し込む操作だけなので、内部の接触片の鎖状端子を小さくすると、鎖状端子の基端部を押圧することになり、接続の解除に大きな力を要して操作性が悪化する。そして、この水平な略円筒状の解除孔を形成した構造で、鎖状端子の基端部から離れた位置を押圧するためには、接触片の鎖状端子を大きくする必要があり、材料費が上昇し、製造コストが上昇する問題を有している。また、例えば、解除孔について、電線挿入孔から遠い側の内面は、鎖状片部に近づくにつれて電線挿入孔に近接するように傾斜させ、電線挿入孔から近い側の内面を、略水平すなわち電線挿入孔の中心軸と平行とした構成が考えられる。しかしながら、この構成では、電線挿入孔から遠い側の内面は、前面に近づくにつれて電線挿入孔から離間するように傾斜するため、解除孔の入り口が電線挿入孔から離間した位置まで大きく開口し、例えば、照明器具に取り付けた状態で、反射板を取り付けても解除孔が隠れきらずに露出し、また、電線接続部を構成する部分を大きく確保する必要が生じ、ランプソケット10の小形化が困難になる。さらに、この構成では、電線挿入孔から近い側の内面は略水平となるのに対し、電線挿入孔は、後側に向かって径寸法が小さくなるため、後側に樹脂が厚肉となる部分が生じる問題を有している。
【００５５】
この点、これら構成に比べ、本実施の形態の解除孔34は、前面の開口部分を電線挿入孔33に近接して配置でき、端子部である電線装着部31を狭い範囲で構成でき、照明器具に取り付けた状態では、解除孔34を反射板などで容易に隠すことができる。さらに、解除孔34の内面は、電線挿入孔33に略沿って傾斜するため、樹脂が厚肉となる部分を抑制でき、製造コストを低減できる。
【００５６】
また、電線挿入孔33の第２の案内孔部33cは、電線Ｗの芯線Ｗ1を中心軸に案内するとともに、所定の長さＬW、例えば、１０mmだけ皮剥された絶縁被覆Ｗ2の先端部が突き当たり、電線Ｗの最大挿入位置位置を規制するストッパ部の機能を有している。ここで、解除孔34の前面の開口部分を、絶縁被覆Ｗ2は挿入できない大きさあるいは形状とするとともに、この解除孔34の前面の開口部分から接触片12までの寸法は、芯線Ｗ1の所定の長さＬWよりも大きくしておくことにより、誤って解除孔34に電線Ｗの芯線Ｗ1を挿入した場合にも、電線Ｗが接触片12に接続されることがなく、誤った位置に電線Ｗを挿入したことを操作者が容易に認識でき、さらに、接触片12の変形も防止することができる。
【００５７】
また、ランプソケット10の接触片12の電線接続部66が、電線Ｗを接続して一度解除した位置について、再度電線Ｗを接続して利用することはできない、いわゆる非再用形の場合には、図１及び図４に破線で示すように、解除孔34を覆うようにして、解除用治具で破断可能な蓋部97をソケット本体11のケース体21に薄肉に一体に形成することができる。そして、この蓋部97を設けた構成では、一度解除に用いた解除孔34は、蓋部97が破れることにより明示されるため、蓋部97によりふさがっている解除孔34に隣接した電線挿入孔33は接続可能、蓋部97が破れている解除孔34に隣接した電線挿入孔33は接続不可と、容易に示すことができる。
【００５８】
また、これら電線装着部31の解除孔34の構成は、ランプソケットのみならず電線を接続するための電線接続器に広く適用できる。
【００５９】
なお、口金ピン接続部65の開口部81は、図１１に示すように、口金ピン接続部65の先端側すなわち略台形状をなす角孔の長い底辺側に、一部の材料を舌片状に残した案内部95を形成し、さらに、図１２に示すように、この案内部95は、口金ピンＬ3と接触する側とは反体側に軽く湾曲させることにより、ランプＬの着脱動作を円滑にできる。すなわち、通常、ランプＬの口金ピンＬ3には、ランプＬ内部のワイヤーと口金ピンＬ3とを接続するためのかしめ用の凹部があるが、案内部95を設けることにより、例えば、ランプＬの交換時などにランプＬを引き抜く際にも、開口部81の縁部がこの凹部に引っかかることを抑制できる。また、案内部95は、プレス時に材料を残し、必要に応じて曲げるのみで形成でき、製造コストを上昇を抑制できる。
【００６０】
【発明の効果】
請求項１記載のランプソケットによれば、口金ピン接続部と、電線接続部と、これら口金ピン接続部及び電線接続部を接続するつなぎ部とを材料を屈曲して一体に形成した接触片について、口金ピン接続部を、つなぎ部の一部を長手方向に沿って切り起こして形成したため、材料を効率よく利用して接触片を一体に形成でき、製造コストを低減できる。さらに、口金ピン接続部は、つなぎ部の幅方向の両側部を残し、幅方向の中央部を長手方向に沿って折り返して形成したため、つなぎ部が両側一対の部材で構成され、ねじれなどを抑制し形状を安定できる。
【００６１】
請求項２記載のランプソケットによれば、請求項１記載の効果に加え、接触片の口金ピン接続部は、ランプの口金ピンを挟持して複数カ所で接触するため、電気的接続の信頼性を向上できる。そして、この口金ピン接続部を設けた接触片は、付勢手段により作動体側に押圧されるため、口金ピンを挟持片部間に容易に挿入できる。そして、口金ピン接続部には、口金ピンの差込時に口金ピン接続部を後退させる力が加わるが、口金ピン接続部には平面部が設けられ、付勢手段は、平面部を作動体側すなわち前側に押圧するため、口金ピンを差し込む際に、口金ピン接続部が後退して逃げることを容易に防止でき、口金ピンの接続を容易かつ確実にできる。
【００６２】
請求項３記載のランプソケットによれば、請求項２記載の効果に加え、案内くさび部が、挟持片部間の一部に挟持されるため、挟持片部間の寸法を容易に一定に調整でき、口金ピンを挟持片部間に容易に挿入でき、かつ、口金ピンと挟持片部とを確実に接触させることができる。さらに、案内くさび部は、付勢手段を位置決めする付勢手段位置決め部に一体に設けられるため、構造を簡略化でき、製造コストを低減できる。
【００６３】
請求項４記載のランプソケットによれば、請求項２または３記載の効果に加え、口金ピン接続部は、つなぎ部に一体に連設される第１の挟持片部と、第１の挟持片部に対向するとともに一部に開口部を設けた第２の挟持片部と、これら第１の挟持片部と第２の挟持片部とを一体に連接する屈曲部とを備え、つなぎ部に一体に連設された第１の挟持片部とは反体側の第２の挟持片部側に開口部を設けて変形しやすくしたため、屈曲部のみが変形することによるへたりを抑制できるとともに、口金ピン接続部をつなぎ部に対して移動しにくく支持でき、口金ピンを挟持片部間に挿入しやすくできる。
【００６４】
請求項５記載のランプソケットによれば、請求項１ないし４いずれか一記載の効果に加え、ソケット本体の少なくとも一部を透明な材料で形成したため、ソケット本体の内側の状態を容易に確認でき、組み立て後に内部の状態を容易に確認できる。また、作動体のみを透明にすると、この作動体は使用状態ではランプの口金で覆われるため、透明な部分の外部への露出を抑制できる。
【００６５】
請求項６記載のランプソケットによれば、請求項１ないし５いずれか一記載の効果に加え、ソケット本体は、接触片の電線接続部に対向し、電線接続部に接続される電線が挿入される電線挿入孔と、電線接続部を押圧して変形させる解除用治具が挿入される解除孔とを隣接して備え、解除孔の内面は、電線挿入孔に近接するように傾斜し、かつ、電線接続部に向かって拡開したため、解除用治具を電線接続部に案内可能な解除孔を、電線挿入孔に近接して配置でき、電線挿入孔と解除孔とを備えた端子部を狭い範囲で構成できるとともに、厚肉な部分を小さくでき、材料のコストを低減できる。
【００６６】
請求項７記載のランプソケットによれば、請求項６記載の効果に加え、解除孔を、解除用治具で破断可能な蓋部により覆ったため、解除動作を行った解除孔が明示され、すなわち、一旦電線を接続し解除した電線挿入孔が明示され、一旦電線を接続し解除した電線挿入孔に再度電線を接続することを抑制できる。
【図面の簡単な説明】
【図１】本発明のランプソケットの一実施の形態を示す断面図である。
【図２】同上ランプソケットのカバーを取り付けない状態の後面図である。
【図３】同上ランプソケットの前面図である。
【図４】同上ランプソケットのケース体の断面図である。
【図５】同上ランプソケットの作動体の前面図である。
【図６】同上ランプソケットの作動体の図５のＩ−Ｉ断面図である。
【図７】同上ランプソケットの作動体の後面図である。
【図８】同上ランプソケットの作動体の図５のII−II断面図である。
【図９】同上ランプソケットの接触片の前面図である。
【図１０】同上ランプソケットの接触片の側面図である。
【図１１】本発明のランプソケットの接触片の他の実施の形態を示す一部を拡大した斜視図である。
【図１２】同上ランプソケットの接触片の一部を拡大した側面図である。
【符号の説明】
10    ランプソケット
11    ソケット本体
12    接触片
14    付勢手段
23    作動体
33    電線挿入孔
34    解除孔
55    口金ピン挿入孔
57    付勢手段位置決め部
58    案内くさび部
65    口金ピン接続部
66    電線接続部
67    つなぎ部
70    一端部
71    平面部
74    第１の挟持片部
75，77    屈曲部
78    第２の挟持片部
81    開口部
83 つなぎ片部
97    蓋部
Ｌ    ランプ
Ｌ２    口金部
Ｌ３    口金ピン
Ｗ    電線
【図１】
0004110350.tif 000002
【図２】
0004110350.tif 000003
【図３】
0004110350.tif 000004
【図４】
0004110350.tif 000005
【図５】
0004110350.tif 000006
【図６】
0004110350.tif 000007
【図７】
0004110350.tif 000008
【図８】
0004110350.tif 000009
【図９】
0004110350.tif 000010
【図１０】
0004110350.tif 000011
【図１１】
0004110350.tif 000012
【図１２】
0004110350.tif 000013